(57)【要約】      （修正有）【課題】宝石が揺動する構造の装身具において、宝石支持部が長時間揺れて宝石がキラキラを輝く装身具を提供する。【解決手段】宝石類を保持する装飾体保持部２１と、該装飾体保持部２１を揺動可能に支持する装身具本体１１とを備えた装飾体保持構造を有する装身具であって、宝石類を保持する装飾体保持部２１は宝石類の収納部とその両側に突設した左右一対の軸ピン２６とを備え、かつ軸ピン２６の先端２６ａはピボット状をなしており、また装飾体保持部２１を揺動可能に支持する装身具本体１１は、一対の軸ピン２６を挿通して該軸ピン２６を回動自在に保持する左右一対の線接触の軸受部３１と、該軸受部３１の内奥に形成した軸ピン２６の先端２６ａをピボット状に支承する軸ピンの支持部３４とを備えた。【選択図】図１５
0003212476.tif 000002
【実用新案登録請求の範囲】
【請求項１】
宝石類を保持する装飾体保持部と、該装飾体保持部を揺動可能に支持する装身具本体とを備えた装飾体保持構造を有する装身具において、
宝石類を保持する装飾体保持部は宝石類の収納部とその両側に突設した左右一対の軸ピンとを備え、かつ前記軸ピンの先端はピボット状をなしており、
また前記装飾体保持部を揺動可能に支持する装身具本体は、前記一対の軸ピンを挿通して該軸ピンを回動自在に保持する左右一対の線接触の軸受部と、該軸受部の内奥に形成した前記軸ピンの先端をピボット状に支承する軸ピンの支持部とを備えていることを特徴とする装身具。
【請求項２】
前記宝石類を保持する装飾体保持部の左右一対の軸ピンは、前記宝石類の収納部を水平方向に横切る中心線よりも上方に配置されていることを特徴とする装身具。
【請求項３】
前記宝石類を保持する装飾体保持部の左右一対の軸ピンは、長さ方向に沿ってＶ字状断面を有しており、前記軸受部との接触部位において点接触するように構成されていることを特徴とする装身具。
【考案の詳細な説明】
【技術分野】
【０００１】
本考案は、宝石類を支持する装飾体保持部が自在に揺動する装身具に関するものである。
【背景技術】
【０００２】
例えば、ダイヤモンド等の宝石を固定した支持部材を揺動可能に支持する指輪等がある。このように宝石を揺動させることで、揺動させない場合に比べて宝石をより輝いて見せることができる。
そのような例としては以下の各例が知られている。
１）特開２００９−５２３５０９号公報（特許文献１参照）
ホルダを有し、装身エレメントを展示する装置であって、
ホルダおよび装身エレメントが、それぞれ、装身エレメントを支持するための１対の支持部材を有する形式のものにおいて、
ホルダに配された支持部材が、別個の支持装置の構成部材であり、ホルダ、装身エレメントおよび該支持装置が、モジュール構造部材であり、
該支持装置が、ホルダおよび装身エレメントに結合可能に構成される、ことを特徴とする装置。
【０００３】
２）特開２００２−１４２８１７号公報（特許文献２参照）
リング状に形成された支持部材にネジ切りをした突起を設け、摩擦抵抗の少なくした宝石枠を固定し、リング状に構成している重力バランス指輪。
３）特開２０１３−２２２３３号公報（特許文献３参照）
第３実施形態を説明する図６は、本考案の第３実施形態に係る指輪の取り付け部と指輪の宝石支持部との係合構造を説明するための図であり、本実施形態では、取り付け部の図中左側には、丸カンの代わりに、回転棒が固定されている。回転棒は、取り付け部と一体的に形成されていてもよい。
また、宝石支持部の内周部には、第１実施形態の丸カンの代わりに断面円形の凹部が形成されている。
【０００４】
４）ＷＯ２００３／０７７６９９号公報（特許文献４参照）
支持部材と、この支持部材に所定間隔離間されて上方へ突出するように形成された一対の支持片と、この一対の支持片の対向する部位にそれぞれ形成された軸穴と、前記一対の支持片間に揺れ動き可能に位置されるダイヤ等の宝石が取付けられた宝石支持金具と、この宝石支持金具の前記一対の支持片の軸孔とそれぞれ対向する部位に、該軸孔の開口端部寄りの下部位置に支持される下部が傾斜面に形成された一対の支持軸とからなることを特徴とする身飾品。
【先行技術文献】
【特許文献】
【０００５】
【特許文献１】特開２００９−５２３５０９号公報
【特許文献２】特開２００２−１４２８１７号公報
【特許文献３】特開２０１３−２２２３３号公報
【特許文献４】ＷＯ２００３／０７７６９９号公報
【考案の概要】
【考案が解決しようとする課題】
【０００６】
ちなみに上記１）、２）の先行技術においては、宝石の周囲に位置する宝石支持部等に先端の尖ったピン状の支軸を装身具本体の傾斜面を備えた軸受部に取り付けているため、ピン状の支軸が摩耗して揺れ方が少なくなってしまったり、軸受部がえぐれてしまって揺れ方が少なくなってしまうという問題があった。
また上記３）特開２０１３−２２２３３号公報（特許文献３参照）の場合は、取り付け部には回転棒が固定されており、また宝石支持部の内周部には断面円形の凹部が形成されているため、基本的に揺れ方が少ないという問題があった。
【０００７】
本考案はかかる事情に鑑みてなされたものであり、宝石が揺動する構造の装身具において、軸ピンの先端をピボット状とし、他方、軸ピンを挿通して該軸ピンを左右一対の線接触の軸受部で回動自在に保持するようにしてある。
また、前記軸受部の内奥に前記軸ピンの先端をピボット状に支承する軸ピンの支持部を形成することにより、長時間にわたって宝石支持部が揺れて宝石がキラキラを輝く装身具を提供することを目的とする。
【課題を解決するための手段】
【０００８】
すなわち本考案の装身具は、宝石類を保持する装飾体保持部と、該装飾体保持部を揺動可能に支持する装身具本体とを備えた装飾体保持構造を有する装身具において、
宝石類を保持する装飾体保持部は宝石類の収納部とその両側に突設した左右一対の軸ピンとを備え、かつ前記軸ピンの先端はピボット状をなしており、
また前記装飾体保持部を揺動可能に支持する装身具本体は、前記一対の軸ピンを挿通して該軸ピンを回動自在に保持する左右一対の線接触の軸受部と、該軸受部の内奥に形成した前記軸ピンの先端をピボット状に支承する軸ピンの支持部とを備えていることを特徴とするものである。
【０００９】
本考案の装身具において、前記宝石類を保持する装飾体保持部の左右一対の軸ピンは、前記宝石類の収納部を水平方向に横切る中心線よりも上方に配置されていることをも特徴とするものである。
【００１０】
本考案の装身具において、前記宝石類を保持する装飾体保持部の左右一対の軸ピンは、長さ方向に沿ってＶ字状断面を有しており、前記軸受部との接触部位において点接触するように構成されていることをも特徴とするものである。
【考案の効果】
【００１１】
本考案によれば、宝石が揺動する構造の装身具において、軸ピンの先端をピボット状とし、他方、軸ピンを挿通して該軸ピンを左右一対の線接触の軸受部で回動自在に保持するようにしてあるため軸ピン等が摩耗しにくく、また前記軸受部の内奥に前記軸ピンの先端をピボット状に支承する軸ピンの支持部を形成してあるために、長時間にわたって装飾体保持部が少ない抵抗で無理なく揺れて宝石がキラキラを輝く装身具を提供することが可能となった。
また、前記装飾体保持部を揺動可能に支持する装身具本体は、前記軸受部の内奥に形成した前記軸ピンの先端をピボット状に支承する軸ピンの支持部とを備えているため、装身具が傾いても前記軸ピンの先端と軸ピンの支持部とにほとんど摩擦力が作用せず、長時間にわたって装飾体保持部が少ない抵抗で無理なく揺れて宝石がキラキラを輝く装身具を提供することができる。
【図面の簡単な説明】
【００１２】
【図１】本考案の装身具の１実施形態を示すペンダントトップの正面図である。
【図２】その背面図である。
【図３】軸受部を透視した状態の正面図である。
【図４】図１の側面図である。
【図５】装飾体保持部の組み付け前の状態を示す中央縦断面図である。
【図６】組み付け後の状態を示す中央縦断面図である。
【図７】装飾体保持部の左右一対の軸ピンと軸受部の関係を示す組み付け前の状態の要部正面図である。
【図８】組み付け後の状態を示す要部正面図である。
【図９】その要部断面図である。
【図１０】その要部端面図である。
【図１１】装飾体保持部の左右一対の軸ピンと軸受部の関係を示す組み付け前の状態を背後から見た斜視図である。
【図１２】組み付け後の状態を示す斜視図である。
【図１３】装飾体保持部と軸受部のユニットを装身具本体に組み付けようとする状態の斜視図である。
【図１４】組み付け後の状態を示す斜視図である。
【図１５】装身具本体に組み付けた装飾体保持部と軸受部のユニットの挙動を示すものであり、（ａ）は通常状態の要部断面図、（ｂ）は左が下向きに動いた状態の要部断面図、（ｃ）は右が下向きに動いた状態の要部断面図である。
【図１６】本考案の装身具の別の実施形態を示すペンダントトップの正面図である。
【図１７】装飾体保持部と軸受部のユニットの別の例を示すものであり、（ａ）は概略正面図、（ｂ）は概略背面図、（ｃ）は概略側面図である。
【考案を実施するための形態】
【００１３】
以下、図１ないし図１５に基いて、本考案の装身具の第１実施形態を説明する。
＜第１実施形態＞
図１ないし図４に示すように、第１実施形態の装身具はペンダントトップの例を示すものであり、ペンダントトップを構成する装身具本体１１はその中央部分に開口部１２が形成されており、その上部には丸環１３を介してバチカン１４が取り付けられている。
１５は前記装身具本体１１の適所やバチカン１４の適所に所定の間隔で配置され、爪止めや彫止め、伏せ込み等の適宜手段で固定されたダイヤモンド等からなる宝石である。
【００１４】
次に、前記装身具本体１１の開口部１２にはダイヤモンド等からなる宝石２２を保持する装飾体保持部２１が取り付けられている。この装飾体保持部２１はいわゆる鋳造して得られた宝石枠であってもよく、ダイヤモンド等からなる宝石２２が複数の爪２４によって爪止めされている。２５は装飾体保持部２１の背面に設けた貫通孔であり、後部からの光で宝石２２をより輝かせるためのものである。
そして、前記宝石類を保持する装飾体保持部２１において、前記装飾体保持部２１を水平方向に横切る中心線よりも上方には、左右一対の軸ピン２６，２６が水平方向に突設されており、また、前記軸ピン２６，２６の先端はピボット状の尖った先端２６ａとなっている。
【００１５】
他方、前記装飾体保持部２１を揺動可能に支持する装身具本体１１は、前記一対の軸ピン２６，２６を挿通して回動自在に保持するために、左右一対の軸受部３１が内蔵されており、しかも該軸受部３１は前面側の端部に向かってつぼまるテーパ３２を備えている。したがって前記軸ピン２６，２６は軸受部３１の前面側の端部における線接触部分３３で該軸受部３１に保持されている。
そして、前記装飾体保持部２１を揺動可能に支持する装身具本体１１の前記軸受部３１は筒状のテーパ３２を備えており、その内奥には後述するように前記軸ピン２６，２６の先端２６ａをピボット状に支承する軸ピンの支持部３４が装身具本体１１側に設けられている。
【００１６】
前記装身具本体１１の開口部１２にダイヤモンド等からなる宝石２２を保持する装飾体保持部２１を取り付ける場合、図５の開口部１２に設けた前記軸受部３１に、図６に示すように前記装飾体保持部２１の軸ピン２６，２６をはめ込み、図６に示すように揺動可能に保持するのである。
【００１７】
ちなみに、前記宝石類を保持する装飾体保持部２１の左右一対の軸ピン２６，２６は、その長さ方向に沿ってＶ字状断面を有しており、前記軸受部３１との接触部位において点接触するように構成されている。
したがって、前記軸受部３１のテーパ３２の部分による線接触と前記点接触とが相まって、前記軸ピン２６，２６と前記軸受部３１のテーパ３２の部分の前面側の端部とはきわめて限定された範囲でしか接触していない。
そのことによって第１実施形態の装身具の装飾体保持部２１の揺れ方は極めて敏感であり、したがって宝石２２は、その揺れ方に応じてキラキラ輝くのである。
【００１８】
図７ないし図１２は、前記装飾体保持部２１と前記軸受部３１とをあらかじめ一体化させてユニット化する例を示すものである。
すなわち、図７のように軸受部３１と、左右一対の軸ピン２６，２６を取り付けた装飾体保持部２１とは、図８のように組み付けてユニット化しておく。図９はその断面図を、図１０はその端面図を示すものである。
図１１および図１２はこれを反対側から見た状態を示すものであり、図１１に示す組み付け前の状態の前記軸受部３１と、左右一対の軸ピン２６，２６を取り付けた装飾体保持部２１とを、図１２のように組み付けてユニット化しておくのである。
【００１９】
図１３は前記装飾体保持部２１を前記軸受部３１に組み付ける状態を示すものである。すなわち、前記装身具本体１１の前記開口部１２の背面には、前記軸受部３１に対応する凹所１２ａが形成されている。
そして図１４に示すように、前記装身具本体１１の前記開口部１２の背面に設けた凹所１２ａに前記軸受部３１を押し込むのである。
【００２０】
次に、図１５（ａ），（ｂ），（ｃ）は、前記装身具本体１１に組み付けた前記装飾体保持部２１と前記軸受部３１からなるユニット部分の挙動を示すものであり、図１５（ａ）は前記軸ピン２６，２６が水平をなす通常状態を示すものである。
また図１５（ｂ）は前記軸ピン２６の左が下向きになるよう動いた状態である。そして図１５（ｃ）は逆に右が下向きになるよう動いた状態である。なお、図１５（ｂ）ないし図１５（ｃ）のいずれの場合も、前記軸ピン２６の先頭２６ａはピボット状であり、軸ピンの支持部３４の内壁面に当接した場合にもほとんど回転を阻害されることはない。
【００２１】
＜第２実施形態＞
図１６は、背面に軸受部５３を収納する凹所４１ａを形成した装身具本体４１を示すものである。
そして、前記装身具本体４１の開口部４２にはダイヤモンド等からなる宝石５２を保持する装飾体保持部５１が取り付けられている。この装飾体保持部５１にはダイヤモンド等からなる宝石５２が伏せ込み等の手段によって係止されている。
もちろん、前記装身具本体４１の開口部４２への装飾体保持部５１の取り付けに際しては、組み付け前の状態の前記軸受部５３と、左右一対の軸ピン５４，５４を取り付けた装飾体保持部５１とを組み付け、ユニット化して利用することができる。
【００２２】
＜第３実施形態＞
図１７は、上辺を山状に尖らせた額縁状の装身具本体６１を示すものである。
前記額縁状の装身具本体６１の中央部分の開口部６２は、背面の適所に左右一対の軸受部６３が形成してあり、この軸受部６３に軸ピン６４がはめ込まれている。
この実施形態においても、前記軸受部６３のテーパ６３ａの部分による線接触と軸ピン６４のＶ字状断面による前記点接触とが相まって、前記軸ピン６４，６４と前記軸受部６３のテーパ６３ａの部分の前面側の端部とはきわめて限定された範囲でしか接触していない。
【産業上の利用可能性】
【００２３】
本考案は、宝石を支持する装飾体保持部が揺動する種々の装身具に適用可能である。
【符号の説明】
【００２４】
１１  装身具本体
１２  開口部
１２ａ  凹所
１３  丸環
１４  バチカン
１５  宝石
２１  装飾体保持部
２２  宝石
２４  爪
２５  貫通孔
２６，２６  軸ピン
２６ａ  尖った先端
３１  軸受部
３２  テーパ
３３  線接触部分
３４  軸ピンの支持部
４１  装身具本体
４１ａ  凹所
４２  開口部
５１  装飾体保持部
５２  宝石
５３  軸受部
５４，５４  軸ピン
６１  装身具本体
６２  開口部
６３  軸受部
６３ａ  テーパ
６４  軸ピン
【図１】
0003212476.tif 000003
【図２】
0003212476.tif 000004
【図３】
0003212476.tif 000005
【図４】
0003212476.tif 000006
【図５】
0003212476.tif 000007
【図６】
0003212476.tif 000008
【図７】
0003212476.tif 000009
【図８】
0003212476.tif 000010
【図９】
0003212476.tif 000011
【図１０】
0003212476.tif 000012
【図１１】
0003212476.tif 000013
【図１２】
0003212476.tif 000014
【図１３】
0003212476.tif 000015
【図１４】
0003212476.tif 000016
【図１５】
0003212476.tif 000017
【図１６】
0003212476.tif 000018
【図１７】
0003212476.tif 000019
【手続補正書】
【提出日】平成29年7月13日(2017.7.13)
【手続補正１】
【補正対象書類名】実用新案登録請求の範囲
【補正対象項目名】全文
【補正方法】変更
【補正の内容】
【実用新案登録請求の範囲】
【請求項１】
宝石類を保持する装飾体保持部と、該装飾体保持部を揺動可能に支持する装身具本体とを備えた装飾体保持構造を有する装身具において、
宝石類を保持する装飾体保持部は宝石類の収納部とその両側に突設した左右一対の軸ピンとを備え、かつ前記軸ピンの先端はピボット状をなしており、
また前記装飾体保持部を揺動可能に支持する装身具本体は、前記一対の軸ピンを挿通して該軸ピンを回動自在に保持する左右一対の線接触の軸受部と、該軸受部の内奥に形成した前記軸ピンの先端をピボット状に支承する軸ピンの支持部とを備えていることを特徴とする装身具。
【請求項２】
前記宝石類を保持する装飾体保持部の左右一対の軸ピンは、前記宝石類の収納部を水平方向に横切る中心線よりも上方に配置されていることを特徴とする請求項１に記載の装身具。
【請求項３】
前記宝石類を保持する装飾体保持部の左右一対の軸ピンは、長さ方向に沿ってＶ字状断面を有しており、前記軸受部との接触部位において点接触するように構成されていることを特徴とする請求項１または２に記載の装身具。